(57)【要約】      （修正有）【課題】ガラス基板などとの密着性が良好な装飾層付きパネル部材を得ることができ、また材料コストの点でも優れた、装飾層付きパネル部材の製造方法を提供する。【解決手段】透明基材（２）上に装飾層（３）、穴埋め層（４）、及び粘着層（５１）が順次積層された、装飾層付きパネル部材（１）を製造する方法であって、（イ）透明基材（２）の一方の面に、所定パターンの装飾層（３）を形成する工程、（ロ）前記透明基材（２）の上に形成された前記装飾層（３）を覆うように、紫外線硬化性樹脂を含む穴埋め層（４）を形成する工程、（ハ）離型層付きフィルム上に粘着層（５１）を形成した粘着フィルム（５０）を用意し、前記粘着層（５１）と前記穴埋め層（４）とが重なるように貼り合わせる工程、及び（ニ）前記穴埋め層（４）中の紫外線硬化性樹脂に紫外線を照射して前記紫外線硬化性樹脂を硬化させる工程を含む。【選択図】図２
2014195978.tif 000002
【特許請求の範囲】
【請求項１】
透明基材上に装飾層、穴埋め層、及び粘着層が順次積層された、装飾層付きパネル部材を製造する方法であって、以下の工程：
（イ）透明基材の一方の面に、所定パターンの装飾層を形成する工程、
（ロ）前記透明基材の上に形成された前記装飾層を覆うように、紫外線硬化性樹脂を含む穴埋め層を形成する工程、
（ハ）離型層付きフィルム上に粘着層を形成した粘着フィルムを用意し、前記粘着層と前記穴埋め層とが重なるように貼り合わせる工程、及び
（ニ）前記穴埋め層中の紫外線硬化性樹脂に紫外線を照射して前記紫外線硬化性樹脂を硬化させる工程
を含むことを特徴とする、前記製造方法。
【請求項２】
前記工程（ハ）の後、前記工程（ニ）の前に、加圧および／またはテンションにより前記装飾層による段差を平滑化する工程をさらに含むことを特徴とする、請求項１に記載の製造方法。
【請求項３】
前記透明基材がロール状のフィルム形態を有し、前記工程（イ）から前記工程（ニ）を連続した工程で行うことを特徴とする、請求項１又は２に記載の製造方法。
【請求項４】
前記穴埋め層の厚さが前記装飾層の厚さより大きいことを特徴とする、請求項１〜３のいずれか１項に記載の製造方法。
【請求項５】
前記紫外線硬化樹脂が揮発性溶剤を含有しないことを特徴とする、請求項１〜４のいずれか１項に記載の製造方法。
【請求項６】
前記紫外線硬化性樹脂の粘度が５００ｍＰａ・ｓ以上であって、前記粘着層の厚さが１０μｍ以上であることを特徴とする、請求項１〜５のいずれか１項に記載の製造方法。
【請求項７】
前記紫外線硬化性樹脂の粘度が１００ｍＰａ・ｓ以上であって、前記粘着層の厚さが２０μｍ以上であることを特徴とする、請求項１〜５のいずれか１項に記載の製造方法。
【請求項８】
前記透明基材の他方の面に、ハードコート層、飛散防止層、防汚層、反射防止層のいずれか１つを形成することを特徴とする、請求項１〜７のいずれか１項に記載の製造方法。
【請求項９】
前記透明基材の他方の面に、粘着層を形成することを特徴とする、請求項１〜８のいずれか１項に記載の製造方法。
【発明の詳細な説明】
【技術分野】
【０００１】
本発明は、携帯電話、デジタルカメラ、テレビ、コンピューター、その他の電子機器の表示パネルの形成に用いる装飾層付きパネル部材の製造方法に関する。
【背景技術】
【０００２】
電子機器等の表示パネルでは、透明な表示部の外周に、内部配線の隠ぺいやデザイン性を考慮した、所謂装飾部が設けられている。この装飾部は、遮光性やデザイン性を有するパターン、ロゴなどを含むものであって、従来の表示パネルでは、プラスチックフィルムやガラスで構成された透明基板上に、単層または複数のパターンを積層することにより装飾層を形成し、装飾層が形成された透明基板は、両面粘着テープを介して別の透明基板と貼り合わされている。装飾層は、シルク印刷方式で形成されることが多い。一般に、赤外線センサー用の赤外線透過膜や管理用のバーコードなど、透明基板上に１μm以上の膜厚で形成されるものは、装飾層の一つと考えられている。
【０００３】
また、カバーガラス等の最表面に用いられるパネル部材には、ガラスが割れた際の飛散防止効果、耐指紋性などの防汚効果、ハードコートなどの耐擦傷性効果などの各種機能層が形成されたものがあり、パネル部材の機能層とは反対側に装飾層と粘着層を設けたものも用いられている。
このような装飾層を有するパネル部材を製造するための従来の方法は、装飾層上への粘着層の形成や両面粘着テープの貼り合せに関して、装飾層の段差に起因したいくつかの課題を抱えている。例えば、装飾層の段差に対して粘着層が十分に追従することができずに装飾層と粘着層の間に空気咬みが発生したり、粘着層の表面平坦性が不十分なため両面テープを貼り合わせた後に外観上好ましくない凹凸が発生したりするなどの不具合が発生しやすい。
【０００４】
このような課題を解決する方法として、特開２０１２−０２２２１０号公報（特許文献１）には、透視可能なパネル基板の背面に加飾層を施し、パネル基板の背面における加飾層の段差の内側及び加飾層の上面に紫外線硬化性樹脂を連続的に充填し、紫外線硬化性樹脂の背面を平坦状に押圧した状態でＵＶ照射を施すことによって硬化した紫外線硬化性樹脂の背面を平滑にする、画像表示パネルの製造方法が開示されている。
【０００５】
特開２０１２−０２２２８１号公報（特許文献２）には、透視可能なパネル基板の背面に加飾層を施し、加飾層の段差の内側及び加飾層の上面に紫外線硬化性樹脂を連続的に充填し、次いで紫外線硬化性樹脂の上面に離型剤を塗布したセパレータフィルムを被覆した状態でセパレータフィルムを紫外線硬化性樹脂の側へ加圧すると共に、ＵＶ照射を行った後、セパレータフィルムを剥離する、画像表示パネルの製造方法が開示されている。
【０００６】
上記の特許文献１、２に開示されている製造方法によれば、装飾層の段差に起因した粘着層の追従性不足に伴う空気咬みや平滑化不足による画像表示パネルの外観不良、画像の視認性低下などの品質上の不具合を大きく改善することが可能となる。また、装飾層付きパネル部材のロール形態での製造も可能であり、タクトや歩留まりの向上等、生産性への大きな効果が期待される。
【先行技術文献】
【特許文献】
【０００７】
【特許文献１】特開２０１２−０２２２１０号公報
【特許文献２】特開２０１２−０２２２８１号公報
【発明の概要】
【発明が解決しようとする課題】
【０００８】
しかしながら、本発明者らは、上記特許文献に開示されている製造方法に従って紫外線硬化性樹脂の上面に離型剤を塗布したセパレータフィルムを被覆した状態でセパレータフィルムを硬化樹脂の側へ加圧し、ＵＶ照射を行うと、紫外線硬化樹の表面の物性が大きく変化することを発見した。
具体的には、セパレータフィルムを被覆した状態でセパレータフィルムを紫外線硬化性樹脂の側へ加圧すると共にＵＶ照射を行った後、セパレータフィルムを剥離すると、紫外線硬化樹脂の表面がセパレータの離型層と同程度の低い表面張力となり、紫外線硬化性樹脂に後で積層される粘着層との密着性が得られなく場合があることを見出した。この原因としては、離型層の成分であるシリコーンやフッ素成分が紫外線硬化性樹脂の表面に転移しているか、あるいは紫外線硬化性樹脂に含有される極性官能基とセパレータの離型層成分との相互作用に伴う紫外線硬化性樹脂の配向により極性官能基が表面に露出しないことが考えられる。
さらに、上記特許文献に開示されている製造方法は、平坦化のためにセパレータを用いるものであり、このセパレータはパネル部材の最終構成に含まれないものであるため、副資材の浪費につながるのではないかとの懸念もある。
【０００９】
本発明は、これら従来技術の課題を解決して、ガラス基板などとの密着性が良好な装飾層付きパネル部材を得ることができ、また材料コストの点でも優れた、装飾層付きパネル部材の製造方法を提供することを目的とするものである。
【課題を解決するための手段】
【００１０】
すなわち、本発明は、透明基材上に装飾層、穴埋め層、及び粘着層が順次積層された、装飾層付きパネル部材を製造する方法であって、（イ）透明基材の一方の面に、所定パターンの装飾層を形成する工程、（ロ）前記透明基材の上に形成された前記装飾層を覆うように、紫外線硬化性樹脂を含む穴埋め層を形成する工程、（ハ）離型層付きフィルム上に粘着層を形成した粘着フィルムを用意し、前記粘着層と前記穴埋め層とが重なるように貼り合わせる工程、及び（ニ）前記穴埋め層中の紫外線硬化性樹脂に紫外線を照射して前記紫外線硬化性樹脂を硬化させる工程を含む。
前記工程（ハ）の後、前記工程（ニ）の前に、加圧および／またはテンションにより前記装飾層による段差を平滑化する工程をさらに含んでもよい
また、前記透明基材がロール状のフィルム形態を有し、前記工程（イ）から前記工程（ニ）を連続した工程で行うこととしてもよい。
【００１１】
本発明の製造方法において、前記穴埋め層の厚さが前記装飾層の厚さより大きいこととすることができる。
また、前記紫外線硬化樹脂が揮発性溶剤を含有しないこととするのが望ましい。
本発明の製造方法において、前記紫外線硬化性樹脂の粘度が５００ｍＰａ・ｓ以上である場合、前記粘着層の厚さが１０μｍ以上であるのが好ましい。
また、前記紫外線硬化性樹脂の粘度が１００ｍＰａ・ｓ以上である場合、前記粘着層の厚さが２０μｍ以上であるのが好ましい。
本発明の製造方法において、前記透明基材の他方の面に、ハードコート層、飛散防止層、防汚層、反射防止層のいずれか１つを形成することができる。
また、前記透明基材の他方の面に、粘着層を形成することもできる。
【発明の効果】
【００１２】
本発明によれば、従来法とは異なり、セパレータによる紫外線硬化性樹脂の表面物性の変化を抑制することが可能となることから、品質安定性の高い装飾層付きパネル部材を製造することが可能となる。また、セパレータ等の副資材の浪費を抑制することも可能なる。さらに、ロール状のフィルム形態を有する透明基材を使用して、本発明に含まれる各工程を連続した工程で行うこととすることにより、生産性の大きな向上を期待することができる。
【図面の簡単な説明】
【００１３】
【図１】本発明の製造方法で作製したパネル部材の模式的な正面図（ａ）及び断面図（ｂ）である。
【図２】本発明の製造方法における各工程を説明するための、パネル部材の模式的な断面図による概略的な製造工程図（ａ）〜（ｅ）である。
【発明を実施するための形態】
【００１４】
以下、図面を参照しつつ、本発明を実施するための形態について説明する。
【００１５】
図１は、本発明の製造方法で作製したパネル部材の模式的な正面図（ａ）及び断面図（ｂ）である。
図１（ａ）に示されているとおり、本発明の製造方法で作製されるパネル部材１を正面から見ると、透明基材２の上に設けられた装飾層３で縁取られた部分の内側（パネル部材１をガラス基板などに貼り付けて製造される表示パネルの表示部に相当する部分）には、穴埋め層４が形成され、さらに粘着層（図示せず）が穴埋め層に貼り合わされている。
これを断面で見ると、図１（ｂ）に示されているとおり、本発明の製造方法で作製されるパネル部材１は、透明基材２の上に、装飾層３、穴埋め層４、及び粘着層５１が順次積層されている。なお、図１（ｂ）では、本発明の製造方法で作製されるパネル部材１をガラス基板などに貼り付ける前の、離型層付きフィルム５２上に粘着層５１を形成した粘着フィルム５０から離型層付きフィルム５２が剥離されていない状態が示されている。
【００１６】
図２は、本発明の製造方法における各工程を説明するための、パネル部材の模式的な断面図による概略的な製造工程図（ａ）〜（ｅ）である。
本発明の製造方法では、（イ）透明基材２の一方の面に、所定パターンの装飾層３を形成し（図２（ａ））、（ロ）透明基材２の上に形成された装飾層３を覆うように、紫外線硬化性樹脂を含む穴埋め層４を形成し（図２（ｂ））、（ハ）離型層付きフィルム５２上に粘着層５１を形成した粘着フィルム５０を用意し、粘着層５１と穴埋め層４とが重なるように貼り合わせ（図２（ｃ））、（ニ）穴埋め層４中の紫外線硬化性樹脂に紫外線ＵＶを照射して紫外線硬化性樹脂を硬化させて（図２（ｄ））、パネル部材１を得る。さらに、得られたパネル部材１を、抜き型ＰＢ等を用いて所定の形状にカットして（図２（ｅ））、別の透明基板等に貼り合せることにより、表示パネルとして用いることができる。
【００１７】
図２（ａ）を参照して、本発明の製造方法ではまず、透明基材２の一方の面に、所定パターンの装飾層３を形成する（工程（イ））。
透明基材２としては、特に限定されないが、ポリエチレンテレフタレート（PET）、ポリプロピレン、ポリエチレン、アクリル、ポリビニルアセテート（PVA）、エチレンビニルアセテート（EVA）等のプラスチックフィルムや、薄膜ガラスなどを使用することができる。必要に応じ、装飾層３や穴埋め層との密着性を得ることを目的として、透明基材２の上に易接着層を予め形成したものを使用してもよい。
透明基材２の厚さは任意であるが、例えば２５〜５００μｍ、好ましくは５０〜２００μｍである。透明基材２の厚さは、パネル部材の生産性や用途を考慮して適切に設定される。
【００１８】
装飾層３は、透明基板２上に所望のデザインの色やパターンを有するものとして形成される。装飾層３の形成方法としては、装飾層３に、内部回路の隠蔽性、ロゴなどの商標表示、赤外線受信用の赤外線透過部などの様々な機能が盛り込まれること、画像表示パネルの最終的なデザインに基づき、所定の寸法で各機能を有するパターンが配置されることから、パターン形成及び積層体の形成が可能な手段が用いられる。具体的には、スクリーン印刷、グラビア印刷、フレキソ印刷、オフセット印刷などの印刷方式を例として挙げることができるが、特にこれらに限定されるものではない。例えば、ロゴや商標などを表示する際に、金属光沢が求められるような場合には、金属箔の転写や蒸着など、印刷以外の方式を利用しても構わない。装飾層３を形成するための塗料やインクには、形成方法に合わせて消泡剤やぬれ性向上剤などを添加することができ、必要により硬化剤などを配合してもよい。
装飾層３の厚さは任意であるが、画像表示パネルの最終的な構成や機能上の制約から、できるだけ薄く形成することが望ましく、例えば５〜６０μｍ、好ましくは１０〜３０μｍである。
【００１９】
図２（ｂ）を参照して、本発明の製造方法では次いで、透明基材２の上に形成された装飾層３を覆うように、紫外線硬化性樹脂を含む穴埋め層４を形成する（工程（ロ））。穴埋め層４は、パネル部材をガラス基板などに貼り付けて製造される表示パネルの表示部に相当する部分をも覆うように形成される。
穴埋め層４は、装飾層３を形成することにより生じた透明基材２の上の段差を埋め、さらに透明基材２の上に平滑な層を形成することを目的としている。穴埋め層４はまた、表示パネルの表示部に相当する部分にも形成されるものであるため、透明性を必要とする。
本発明で使用する穴埋め層４は、紫外線硬化性樹脂を含む。具体的には、穴埋め層４として、汎用性や価格の面から、ポリエステルウレタン、アクリル酸エステル、メタクリ酸エステルなど紫外線硬化性を有するアクリレート系モノマーやオリゴマー、光開始剤を主成分とした塗料を使用するのが好ましい。この塗料の粘度や濡れ性等の物性を調整するため、塗料に反応性希釈剤やレベリング剤等を必要に応じて添加して用いてもよい。
【００２０】
特に、本発明では、装飾層３による段差を埋め、透明基材上に平滑な層を形成する観点から、揮発性溶剤を含有しない紫外線硬化性樹脂を用いるのが好ましい。揮発性溶剤を含有しない紫外線硬化性樹脂を主成分とする無溶剤系塗料を使用することにより、溶剤の揮発に伴う体積変化を無くし、より安定的な穴埋め層の平滑化が可能となる。無溶剤系塗料を使用するその他のメリットとして、溶剤のシートアタックによる装飾層のダメージが大きく低減され、品質上の安定性も向上することが挙げられる。
穴埋め層４の形成方法には、グラビアコータ、ナイフコータ、ノズルコータ、ダイコータ、コンマコータ、バーコータなど種々の方式が適用可能である。
穴埋め層４に使用する紫外線硬化性樹脂は、前述した塗布方式によって透明基材２の上に安定的に供給することが可能である必要があること、粘着フィルムを貼り合わせた際装飾層３の段差を埋め、透明基材２の上に平滑な層を形成するのが好ましいことから、適度な流動性を有していることが望ましい。具体的には、穴埋め層４に使用する紫外線硬化性樹脂は、８０〜８０００ｍＰａ・ｓｅｃ（２５℃）の粘度を有するのが好ましい。８０ｍＰａ・ｓｅｃより低いと、流動性が高すぎてしまい、均一な膜厚が得られない、またハジキを生じるなどの外観に関わる欠陥を生じやすい。また、穴埋め層４の塗布面に対して粘着層を直接貼り合わせたとき、紫外線硬化性樹脂成分の粘着層への溶解や粘着層中への拡散などの作用が強くなるため、粘着層の粘着力低下などの特性低下が起こりやすい。一方、８０００ｍＰａ・ｓｅｃよりも高くなると、塗料の供給能力低下による著しい塗布速度の低下、スジ等の欠陥の発生が懸念され、また粘着フィルムを貼り合わせた時に流動性が不十分となって十分な平滑性が得られにくくなる可能性もある。
【００２１】
透明基材上に平滑な層を形成する観点からは、穴埋め層４の厚さを、装飾層の厚さより大きくすることが好ましい。穴埋め層４の厚さを大きくするほど、平滑性が向上する。穴埋め層４の厚さは、例えば１０〜７０μｍとすることができ、好ましくは２０〜４０μｍである。
本発明の製造方法により得られるパネル部材をガラス基板などに貼り付けて、画像表示パネルを製造する場合、穴埋め層４の厚さに制限が生じる。例えば、画像表示パネルがタッチパネルである場合には、パネル内部に組み込まれているセンサー部と指やペン状のデバイスにより走査が行われるため、穴埋め層４の厚さが厚くなり過ぎた結果パネル表面からセンサー部までの距離が大きくなり過ぎると、感度が低下し動作不具合を起こしやすくなる。また、穴埋め層４の厚さの増加に伴い、透明性が劣化するなど光学特性が低下することが懸念される。この観点からは、透明基材や各層の厚さは、できるだけ薄い方が好ましい。
【００２２】
図２（ｃ）を参照して、本発明の製造方法では次に、離型層付きフィルム５２上に粘着層５１を形成した粘着フィルム５０を用意し、粘着層５１と穴埋め層４とが重なるように貼り合わせる（工程（ハ））。
粘着フィルム５０としては、粘着層５１が支持体としての離型層付きフィルム５２の上に形成され、セパレータが貼り合わされた粘着フィルムを使用することが好ましい。離型層付きフィルム５２としては、PET等のプラスチックフィルム上に、例えばシリコーンやフッ素成分による離型層が形成されたものを使用することができる。
粘着層５１に使用する材料は、OCA(Optical Clear Adhesive)等の光学用途向けの一般的な感圧性接着剤であれば特に限定されないが、汎用性や価格の面から、アクリル酸エステルやメタクリル酸エステルなどを主骨格とするアクリル酸系ポリマーが好ましい。特に、アクリル酸系ポリマーは、モノマー種が多く共重合比率や分子量の制御などが容易であることから、粘着力等、種々の要求への対応が容易である点からも好ましい。また、穴埋め層４に使用する紫外線硬化性のモノマーやオリゴマーの溶解や拡散に対する耐久性を向上することなどを目的として、粘着層５１に使用する材料を、イソシアネートやエポキシなどにより架橋することも可能である。
【００２３】
穴埋め層４は、平滑である限り薄いことが好ましいが、薄膜になると、装飾層３の上に穴埋め層４を塗布しただけでは、特に穴埋め層４中の紫外線硬化性樹脂の粘度が高い場合には、レベリングが不十分となり、穴埋め層４を形成することによる平滑化が達成されにくくなる。
このような観点からは、工程（ハ）の後、次の工程（ニ）の前に、加圧（図中ＰＲ）および／またはテンションを粘着フィルム５０に印加して、穴埋め層４の塗料を透明基材２の上に均一に押し広げる作用を利用することで、良好な平滑性が得られる。同時に、この手法によれば、加圧等印加時の塗料の体積変化により、穴埋め層４の薄膜化が可能となる。具体的には、粘着層と穴埋め層とを重なるように貼り合わせた後、平板やローラーで加圧する方法や、透明基板上に粘着フィルム貼り合せを行う際に長手方向に張力（テンション）を掛ける方法、及び前記加圧方法と張力を掛ける方法の組み合わせにより装飾層による段差を穴埋め層と粘着層で平滑化することができる。
【００２４】
穴埋め層４中の紫外線硬化性樹脂の粘度が低いと、紫外線硬化性樹脂のモノマーやオリゴマーが溶解し、あるいは拡散することにより、粘着層５１の粘着性を低下させてしまうおそれがある。
このような観点からには、紫外線硬化性樹脂の粘度が５００ｍＰａ・ｓ以上の場合には、粘着層５１の厚さを１０μｍ以上とするとよい。また、紫外線硬化性樹脂の粘度が１００ｍＰａ・ｓ以上の場合には、粘着層５１の厚さを２０μｍ以上とするとよい。
【００２５】
図２（ｄ）を参照して、本発明の製造方法ではさらに、穴埋め層４中の紫外線硬化性樹脂に紫外線ＵＶを照射して紫外線硬化性樹脂を硬化させる（工程（ニ））。
従来の方法のように、紫外線硬化性樹脂からなる穴埋め層の上面に離型剤を塗布したセパレータフィルムを被覆した状態で、セパレータフィルムを硬化樹脂の側へ加圧し、ＵＶ照射を行うと、セパレータフィルムの離型層に含まれるシリコーンやフッ素成分の影響により、紫外線硬化樹の表面の物性が大きく変化し、紫外線硬化性樹脂と、後に積層される粘着層との密着性が低下する。
本発明の方法では、紫外線硬化性樹脂の表面にセパレータフィルムの離型層などが直接接触することのないように、粘着フィルム５０の粘着層５１を紫外線硬化性樹脂を含む穴埋め層４に直接貼り合わせ、粘着層５１と穴埋め層４とで透明基材２の上に形成された装飾層３により生じた段差を平坦化したのち、紫外線を照射して、紫外線硬化性樹脂を硬化させることとしている。
【００２６】
図２（ｅ）を参照して、本発明の製造方法で得られたパネル部材１を、ビグ刃等の抜き型（図中ＰＢ）やレーザーカッター等を用いて所定の形状にカットして、別の透明基板等に貼り合せることにより、表示パネルとして用いることができる。
本発明の製造方法で得られたパネル部材１の用途に応じて、透明基材２の他方の面に、ハードコート層、飛散防止層、防汚層、反射防止層のいずれか１つを形成することが可能である。
また、透明基材２の他方の面に、粘着層を形成することとして、両面粘着性の装飾層付きパネル部材を製造することも可能である。
【実施例】
【００２７】
以下に実施例および比較例により本発明をより具体的に説明するが、本発明はこれらに限定されるものではない。
【００２８】
（実施例１）
透明基材として、厚さ50μｍのＰＥＴフィルム（帝人デュポンフィルム製：G2-P2）を用意した。このＰＥＴフィルムの上に、シルバーミラー塗料（セイコーアドバンス製：クロムシルバー３００ＭＲ）をスクリーン印刷し、１００℃で５分間乾燥して、膜厚１μｍのロゴパターン形成した。さらにその上に、黒塗料（帝国インキ製：ＧＬＳ−ＨＦ９１９−墨）をスクリーン印刷し、１００℃で５分間乾燥して、膜厚１０μｍの黒層の額縁状パターンの装飾層を形成した。ここで形成した装飾層は、表示パネルの外周部に相当する。また、ここで形成した額縁状パターンの装飾層の内側が、表示パネルの表示部に相当する。
【００２９】
次に、紫外線硬化性モノマーとして、ジペンタヘキサアクリレート（DPHA）（日本化薬製：KAYARD DPHA）と、光開始剤(ＢＡＳＦ製：ＤＡＲＯＣＵＲＥ  １１７３)とを、モノマー/光開始剤＝１００／５の重量比率で配合した無溶剤の紫外線硬化性樹脂塗料を作製した。この紫外線硬化性樹脂塗料の粘度は、６６００ｍＰａ・ｓｅｃ（２５℃）であった。この紫外線硬化性樹脂塗料を、額縁状パターンの装飾層の内側（表示部）の膜厚が２０μｍとなるような厚さで、アプリケータにより装飾層を覆うように塗布して、穴埋め層を形成した。
【００３０】
別途、粘着フィルムを用意した。すなわち、まず、セパレータフィルムとして、厚さ３８μｍのシリコーン離型層付きＰＥＴフィルム（帝人デュポン製：A43）を準備した。一方、アクリル系粘着塗料（新中村化学工業製：GH6069）と、イソシアネート系硬化剤（日本合成化学製：コロネートL55E）とを、塗料/硬化剤＝１００／０．７の重量比率で配合した粘着層塗料を作製した。この粘着層塗料を、セパレータフィルムの離型層が設けられている面に粘着層の膜厚が１０μｍとなるような厚さでアプリケータにより塗布し、１００℃で３分間乾燥して、粘着フィルムを作製した。このように作製した粘着フィルムの粘着層に、もう１枚用意したセパレータフィルムの離型層が設けられている面を貼り合わせ、４５℃で２日間エージング処理を行った。
次に、このように用意した厚さ１０μｍの粘着層を有する粘着フィルムから１枚のセパレータフィルムを剥離して粘着層を露出させ、粘着層と上記穴埋め層とが重なるように貼り合わせた。貼り合わせには、ハンドローラを使用した。
【００３１】
粘着層と穴埋め層とを貼り合わせた後、メタルハライドランプを使用して、穴埋め層中の紫外線硬化性樹脂に紫外線を照射して紫外線硬化性樹脂を硬化させ、装飾層付きパネル部材を作製した。なお、紫外線の照射条件は、照度400ｍＷ／ｃｍ２であり、積算光量1600ｍＪ／ｃｍ２とした。
【００３２】
（実施例２）
紫外線硬化性モノマーとして、カプロラクトン3モル変性ジペンタエリスリトールヘキサアクリレート（DPCA）（日本化薬製：KAYARD DPCA30）を使用して作製した粘度１８００ｍＰａ・ｓｅｃ（２５℃）の紫外線硬化性樹脂塗料を使用したことを除き、実施例１と同様に、装飾層付きパネル部材を作製した。
【００３３】
（実施例３）
紫外線硬化性モノマーとして、ペンタエリスリトールトリorテトラアクリレート（PETA）（新中村化学工業製：NKエステル A-TMM-3）を使用して作製した粘度７９０ｍＰａ・ｓｅｃ（２５℃）の紫外線硬化性樹脂塗料を使用したことを除き、実施例１と同様に、装飾層付きパネル部材を作製した。
【００３４】
（実施例４）
紫外線硬化性モノマーとして、ペンタエリスリトールトリorテトラアクリレート（PETA）（新中村化学工業製：NKエステル A-TMM-3L）を使用して作製した粘度４９０ｍＰａ・ｓｅｃ（２５℃）の紫外線硬化性樹脂塗料を使用したことを除き、実施例１と同様に、装飾層付きパネル部材を作製した。
【００３５】
（実施例５）
紫外線硬化性モノマーとして、トリメチロールプロパントリアクリレート（TMPTA）（日本化薬製：KAYARD TMPTA）を使用して粘度１１７ｍＰａ・ｓｅｃ（２５℃）の紫外線硬化性樹脂塗料を作製するとともに、粘着層の厚さを２０μｍとした粘着フィルムを使用したことを除き、実施例１と同様に、装飾層付きパネル部材を作製した。
【００３６】
（比較例）
粘着層と穴埋め層とが重なるように貼り合わせる前に、厚さ３８μmの離形層付きセパレータフィルム（帝人デュポンフィルム製：Ａ３１）を穴埋め層の塗布面にハンドローラを用いて貼り合わせておき、実施例１と同様の条件で紫外線を照射した後にこのセパレータフィルムを剥離し、その後粘着層と穴埋め層とが重なるように貼り合わせたことを除き、実施例１と同様に、装飾層付きパネル部材を作製した。
【００３７】
（評価）
実施例１〜５及び比較例で作製した装飾層付きパネル部材について、装飾層付きパネル部材から離形層付きフィルムを剥がし、ガラス基板への貼りつけを行った。  実施例１〜５の装飾層付きパネル部材はいずれも、装飾層付きパネル部材から離形層付きフィルムを剥がすことができ、ガラス基板へ貼り付けたきとの密着性も十分で、外観上も気泡の発生や著しい外観上の変形は見られず良好であった。
一方、比較例の装飾層付きパネル部材では、装飾層付きパネル部材から粘着層側の離形層付きフィルムを剥がすときに、穴埋め層と粘着層との界面で剥離が発生してしまい、ガラス基板への貼りつけを行うことができなかった。
【符号の説明】
【００３８】
１：パネル部材
２：透明基材
３：装飾層
４：穴埋め層
５０．粘着フィルム
５１．粘着層
５２．離形層付きフィルム
【図１】
2014195978.tif 000003
【図２】
2014195978.tif 000004